(57)【要約】【課題】  開口部を広げるようなボディ構造の変更を不要にし、一般的な車両のボディ構造を変えることなく物の展示及び／又は販売を行う商用車を製造できるようにする。【解決手段】  本発明に係る商用車は、車両の側面に形成されており、スライドドアによって開閉する構造の開口部１７を利用して物の展示及び／又は販売を行う商用車１０であって、物の陳列棚２４及び／又はテーブル２２と、陳列棚２４及び／又はテーブル２２が一定の移動軌跡で車室内から開口部１７を通って車外まで移動可能なように、その陳列棚２４及び／又はテーブル２２をガイド可能なガイド機構３０,３２とを有している。このため、車両の開口部１７が狭くても、物をお客様から良く見える位置に陳列可能になる。【選択図】      図１
2006151153.tif 000002
【特許請求の範囲】
【請求項１】
車両の側面に形成されており、スライドドアによって開閉される開口部を利用して物の展示及び／又は販売を行う商用車であって、
物の陳列棚及び／又はテーブルと、
前記陳列棚及び／又はテーブルが一定の移動軌跡で車室内から前記開口部を通って車外まで移動可能なように、その陳列棚及び／又はテーブルをガイド可能なガイド機構と、
を有することを特徴とする商用車。
【請求項２】
請求項１に記載された商用車であって、
ガイド機構は、車両の床面に形成されたガイドレールと、
陳列棚及び／又はテーブルを備える箱体に固定されており、前記ガイドレールと係合して、そのガイドレールに沿って移動可能に構成されている係合部材と、
を備えていることを特徴とする商用車。
【請求項３】
請求項１に記載された商用車であって、
陳列棚及び／又はテーブルは平面円弧形に形成されており、
ガイド機構は、車室内で前記円弧の中心位置に立設された回転中心軸と、その回転中心軸を中心に回転可能な構成で、前記陳列棚及び／又はテーブルの円周方向における基端部に固定されて、その陳列棚及び／又はテーブルを支持する支持部材とを備えており、
前記支持部材が回転中心軸の回りを回転することで、前記陳列棚及び／又はテーブルが先端側から連続して前記開口部を通って車外まで移動可能なように構成されていることを特徴とする商用車。
【請求項４】
請求項１に記載された商用車であって、
ガイド機構は、陳列棚及び／又はテーブルを備える箱体の側面に形成されたガイドレールと、
前記ガイドレールと係合しており、そのガイドレールに沿って相対移動可能な構成の係合部材と、
前記車室の開口部の端に立設された回転中心軸と、
前記回転中心軸の回りをほぼ水平に回転可能な構成で、先端部分に前記係合部材が取付けられており、その係合部材を介して前記箱体を支持する箱体支持部材と、
を有することを特徴とする商用車。
【発明の詳細な説明】
【技術分野】
【０００１】
本発明は、車両の側面に形成されており、スライドドアによって開閉される開口部を利用して物の展示及び／又は販売を行う商用車に関する。
【背景技術】
【０００２】
車両の側面に開口部を設け、その開口部を利用して物の販売やサービスの提供等を可能にした車両が特許文献１に記載されている。
前記車両は、図７（Ａ）（Ｂ）に示すように、助手席９２及び乗降口９４を除く左側面がほぼ全体に渡って開口部９６となっている。前記開口部９６は側板９８によって閉じられる構成であり、その側板９８の下辺が開口部９６の下縁に複数のヒンジ機構９９によって連結されている。これによって、側板９８が開口部９６に対して下回動することで、その開口部９６が開かれるようになる。このとき、側板９８を水平に保持することで、その側板をテーブルやデッキとして使用できるようになる。
【特許文献１】特開平１１−３０１３３９号公報
【発明の開示】
【発明が解決しようとする課題】
【０００３】
上記した車両の場合、その車両の左側面がほぼ全体に渡って開口部９６となっており、その開口部９６が上下回動する側板９８によって開閉される構成である。このため、上記車両を製造するためにボディ構造を基本的に変える必要がある。即ち、上記車両のために特注でボディを製造しなければならず、車両の製造コストが高くなるという問題がある。
【０００４】
本発明は、上記問題点を解決するためになされたものであり、本発明が解決しようとする課題は、車両のボディ構造を変えることなく物の展示及び／又は販売を行う商用車を製造できるようにし、商用車の製造コストを低減させることである。
【課題を解決するための手段】
【０００５】
上記した課題は、各請求項の発明によって解決される。
請求項１の発明は、車両の側面に形成されており、スライドドアによって開閉される開口部を利用して物の展示及び／又は販売を行う商用車であって、物の陳列棚及び／又はテーブルと、前記陳列棚及び／又はテーブルが一定の移動軌跡で車室内から前記開口部を通って車外まで移動可能なように、その陳列棚及び／又はテーブルをガイド可能なガイド機構とを有することを特徴とする。
【０００６】
本発明によると、ガイド機構の働きで物の陳列棚とテーブルとが車室内から車外まで移動可能なように構成されている。このため、車両の開口部が狭くても物をお客様から良く見える位置に陳列することが可能になる。したがって、お客様に対し、車両の開口部を広くしたのと同様のインパクトを与えることができ、前記開口部を広げるようなボディ構造の変更が不要になる。したがって、一般的な車両のボディ構造を変えることなく商用車を製造でき、商用車の製造コストが低減する。
【０００７】
請求項２の発明によると、ガイド機構は、車両の床面に形成されたガイドレールと、陳列棚及び／又はテーブルを備える箱体に固定されており、前記ガイドレールと係合して、そのガイドレールに沿って移動可能に構成されている係合部材とを備えている。
このように、ガイド機構のガイドレールを車両の床面に形成するため、係合部材に箱体の重量が加わることがなく、その係合部材の強度をさほど高める必要がなくなる。
【０００８】
請求項３の発明によると、陳列棚及び／又はテーブルは平面円弧形に形成されており、ガイド機構は、車室内で前記円弧の中心位置に立設された回転中心軸と、その回転中心軸を中心に回転可能な構成で、前記陳列棚及び／又はテーブルの円周方向における基端部に固定されて、その陳列棚及び／又はテーブルを支持する支持部材とを備えており、前記支持部材が回転中心軸の回りを回転することで、前記陳列棚及び／又はテーブルが先端側から連続して前記開口部を通って車外まで移動可能なように構成されている。
このように、上記ガイド機構には摺動部分がないため、経時的に陳列棚及び／又はテーブルが移動し難くなるような不具合が生じない。また、上記構成により、陳列棚及び／又はテーブルをほぼ全体に渡って車外に出すことが可能になる。
【０００９】
請求項４の発明によると、ガイド機構は、陳列棚及び／又はテーブルを備える箱体の側面に形成されたガイドレールと、前記ガイドレールと係合しており、そのガイドレールに沿って相対移動可能な構成の係合部材と、前記車室の開口部の端に立設された回転中心軸と、前記回転中心軸の回りをほぼ水平に回転可能な構成で、先端部分に前記係合部材が取付けられており、その係合部材を介して前記箱体を支持する箱体支持部材とを有することを特徴とする。
本発明によると、箱体のガイドレールと係合している係合部材は箱体支持部材の先端部分に取付けられている。このため、前記箱体は箱体支持部材に対して一定方向に移動できるようになる。さらに、箱体支持部材は、車室の開口部の端に立設された回転中心軸の回りをほぼ水平に回転できるように構成されている。このため、箱体の配置の自由度が高くなる。
【発明の効果】
【００１０】
本発明によると、車両のボディ構造を変えることなく物の展示及び／又は販売を行う商用車を製造できるようになり、商用車の製造コストが低減する。
【発明を実施するための最良の形態】
【００１１】
以下、図１、図２に基づいて、本発明の実施形態１に係る商用車の説明を行う。本実施形態は、ワンボックカーを利用した商用車であり、図１はその平面図等である。図２は、前記商用車の使用状態を表す正面図及び側面図である。ここで、商用車の幅方向をＸ方向、前後方向をＹ方向、高さ方向をＺ方向として図示する。
本実施形態に係る商用車１０は、軽食や飲み物を販売するための車両であり、図１（Ａ）に示すように、運転席１２の後方がキッチンスペースＫとなっている。また、助手席１３の後方には移動式カウンタユニット２０が設置されており、その移動式カウンタユニット２０の後方にキャビネットＭが設置されている。そして、キッチンスペースＫと移動式カウンタユニット２０等との間が店員の作業スペースとなっている。
商用車１０の左側面には、前後スライドドア１１によって開閉される開口部１７が設けられており、移動式カウンタユニット２０はその開口部１７の内側に配置されている。
【００１２】
移動式カウンタユニット２０は、図１（Ｂ）に示すように、略箱型に形成されており、その幅寸法Ｗが商用車１０の開口部１７の幅寸法Ｌよりも小さく設定されている。移動式カウンタユニット２０の上面はテーブル２２となっている。さらに、その移動式カウンタユニット２０の内部は複数の陳列棚２４によって上下方向に仕切られており、それらの陳列棚２４の上に種々の商品を陳列できるようになっている。また、移動式カウンタユニット２０の側面は透明な板材２６によって覆われており、外部から陳列された商品を見て選ぶことができるように構成されている。
【００１３】
商用車１０の床面Ｆには、その中央部から開口部１７に向かって商用車１０の幅方向（Ｘ方向）に延びる一対のガイドレール３０が設けられている。ガイドレール３０は、移動式カウンタユニット２０を横移動させる際にガイドするためのレールであり、図１（Ｃ）に示すように、横断面形状が略Ｃ字形に形成されている。即ち、ガイドレール３０は、上部開口３１が幅狭で内部空間が幅広となるように形成されている。
移動式カウンタユニット２０の底板２９の下側には、各々のガイドレール３０と係合してそのガイドレール３０に沿って移動可能な一対の係合部材３２が固定されている。係合部材３２は、移動式カウンタユニット２０の底板２９から下方に突出し、ガイドレール３０の上部開口３１に通される突起部３２ｔと、その突起部３２ｔの先端に固定されてガイドレール３０からの突起部３２ｔの抜け止めを図る係合片３２ｋとから構成されている。
【００１４】
上記構成により、移動式カウンタユニット２０はガイドレール３０に沿って商用車１０の幅方向（Ｘ方向）に移動可能になる。ここで、各ガイドレール３０のＹ方向における位置、及び移動式カウンタユニット２０に対する各係合部材３２の位置は、その移動式カウンタユニット２０と商用車１０の開口部１７とが前後方向において（Ｙ方向において）重なるように設定されている。このため、移動式カウンタユニット２０をガイドレール３０に沿ってＸ方向に移動させることで、移動式カウンタユニット２０を開口部１７から車外に出すことが可能になる。
即ち、ガイドレール３０及び係合部材３２が本発明のガイド機構に相当し、移動式カウンタユニット２０が本発明の箱体に相当する。
【００１５】
商用車１０を使用して軽食や飲み物の販売を行うためには、前後スライドドアで開口部１７を開放した後、移動式カウンタユニット２０を前進限位置まで前進させる（図１（Ａ）（Ｂ）参照）。これによって、移動式カウンタユニット２０が商用車１０の開口部１７から車外に張出すようになり、図２（Ａ）（Ｂ）に示すように、販売の準備が完了する。なお、商用車１０の開口部１７上に簡易型の日除け１８を設けるのが好ましい。
また、商品の販売が終了した後は、移動式カウンタユニット２０を所定位置まで後進させて、車室内に収納した後、前後スライドドアで開口部１７を閉鎖する。
【００１６】
このように、ガイド機構の働きで商品の陳列棚２４とテーブル２２とを車外まで移動できるようになるため、開口部１７が狭くても商品をお客様から良く見える位置に陳列することが可能になる。したがって、お客様に対し、商用車１０の開口部１７を広くしたのと同様のインパクトを与えることができ、前記開口部１７を広げるようなボディ構造の変更が不要になる。したがって、一般的な車両のボディ構造を変えることなく商用車１０を製造できるようになり、商用車１０の製造コストが低減する。
また、ガイド機構のガイドレール３０を商用車１０の床面Ｆに形成するため、係合部材３２に移動式カウンタユニット２０の重量が加わることがなく、その係合部材３２の強度をさほど高める必要がない。
また、商品の陳列棚２４とテーブル２２とを車外まで移動できるため、車内の作業スペースが広くなる。
【００１７】
次に、図３、図４に基づいて、本発明の実施形態２に係る商用車の説明を行う。本実施形態に係る商用車は、実施形態１の商用車における移動式カウンタユニット２０とガイド機構との構造を変更したものである。
本実施形態に係る商用車１０の移動式カウンタユニット４０は、図３（Ａ）（Ｂ）に示すように、平面円弧形に形成されたカウンタテーブル４２と、カウンタテーブル４２の内周縁に沿ってそのカウンタテーブル４２上に設置された商品陳列部４４とから構成されている。
移動式カウンタユニット４０の円周方向における基端部４０ｍは支持部材４６によって下方から支持されている。支持部材４６は、図３（Ｂ）に示すように、商用車１０の床面Ｆ上に立設された角形の板状体であり、移動式カウンタユニット４０の曲率中心位置からその移動式カウンタユニット４０の基端部４０ｍまでを結ぶ仮想線（半径線）と一致するように設置されている。また、移動式カウンタユニット４０の先端部４０ｆの下側には、伸縮パイプによって形成された足４７が取付けられている。
【００１８】
移動式カウンタユニット４０を支持する支持部材４６には、その移動式カウンタユニット４０の曲率中心位置に貫通縦孔４６ｈが形成されており、その貫通縦孔４６ｈに回転中心縦軸４９が挿通されている（図３（Ｃ）参照）。このため、移動式カウンタユニット４０及び支持部材４６は回転中心縦軸４９の回りをほぼ水平方向に回転可能となる。回転中心縦軸４９は、図３（Ａ）に示すように、車室内の左端位置で、移動式カウンタユニット４０が水平回転する際に商用車１０の開口部１７を通過できる位置に立設されている。このため、図３（Ａ）の二点鎖線で示す収納位置から移動式カウンタユニット４０及び支持部材４６を回転中心縦軸４９の回りに約180°左回転させることで、移動式カウンタユニット４０をほぼ全体に渡って車外に引き出すことが可能になる。即ち、支持部材４６及び回転中心縦軸４９が本発明のガイド機構に相当する。
【００１９】
支持部材４６には、図３（Ｃ）に示すように、貫通縦孔４６ｈの近傍に回転ロック機構５０が設けられている。回転ロック機構５０は、移動式カウンタユニット４０が収納位置（図３（Ａ）の二点鎖線参照）にあるときと、その移動式カウンタユニット４０が車外に完全に引き出されたときの二点で、回転中心縦軸４９に対する支持部材４６の回転をロックする機構である。回転ロック機構５０は、回転中心縦軸４９の外周面に180°間隔で形成された二個のロック孔５２と、支持部材４６側に装着されたロックピン５３とを備えており、そのロックピン５３とロック孔５２とが係合した状態で、回転中心縦軸４９に対する支持部材４６の回転ロックが行われる。ロックピン５３は、バネ５５の力で常に回転中心縦軸４９の外周面に押付けられており、支持部材４６が上記したように所定位置まで回転して、ロックピン５３の位相がロック孔５２の位相に一致した段階で、そのロックピン５３がバネ５５の力でロック孔５２に挿入されるように構成されている。また、ロックピン５３には、バネ５５の力に抗してロック孔５２からロックピン５３を引き抜くためのロック解除レバー５３ｒが取付けられている。
【００２０】
商用車１０を軽食や飲み物の販売に使用するためには、前後スライドドアで開口部１７を開放した後、回転ロック機構５０のロック状態を解除し、図３（Ａ）の二点鎖線で示す収納位置から移動式カウンタユニット４０及び支持部材４６を回転中心縦軸４９の回りに左回転させる。これによって、移動式カウンタユニット４０は、先端部４０ｆ側から順番に商用車１０の開口部１７を通過し、車外に引き出される。そして、移動式カウンタユニット４０が約180°左回転した状態で回転ロック機構５０がロック動作し、移動式カウンタユニット４０は、図３（Ａ）に示すように、ほぼ全体に渡って車外に引き出された状態に保持される。この状態で、図４（Ａ）（Ｂ）に示すように、移動式カウンタユニット４０の先端部４０ｆに設けられた足４７を延ばしてその先端部４０ｆの支持を行えば、販売の準備が完了する。
【００２１】
また、商品の販売が終了した後は、ロック解除レバー５３ｒを使用して回転ロック機構５０のロック動作を解除し、移動式カウンタユニット４０及び支持部材４６を回転中心縦軸４９の回りに右回転させる。そして、移動式カウンタユニット４０等が約180°右回転した段階で回転ロック機構５０が自動的にロック動作し、移動式カウンタユニット４０等は収納位置に保持される。
このように、上記した商用車１０のガイド機構には摺動部分がないため、経時的に移動式カウンタユニット４０が移動し難くなるような不具合が生じない。また、移動式カウンタユニット４０をほぼ全体に渡って車外に出すことができるため、商用車１０の開口部１７が狭くても全く問題にならない。
【００２２】
次に、図５、図６に基づいて、本発明の実施形態３に係る商用車の説明を行う。本実施形態に係る商用車は、実施形態１の商用車における移動式カウンタユニット２０とガイド機構との構造を変更したものである。
本実施形態に係る商用車１０は、開口部１７の前半部と後半部とに設けられた一対の移動式カウンタユニット６０を備えている。移動式カウンタユニット６０は、図５（Ｂ）に示すように、箱型に形成されており、一対の移動式カウンタユニット６０が開口部１７の幅方向（Ｙ方向）において対称に形成されている。移動式カウンタユニット６０は、上面がテーブル６２となっており、内部が複数の陳列棚（図示省略）によって上下方向に仕切られている。
開口部１７の前半部に位置する移動式カウンタユニット６０は後向きの状態で車室内に収納されており、その背面（前面）に一対のガイドレール６４がほぼ水平に設けられている。また、開口部１７の後半部に位置する移動式カウンタユニット６０は前向きの状態で車室内に収納されており、その背面（後面）に一対のガイドレール６４がほぼ水平に設けられている。なお、図５（Ｂ）は、後半部に位置する移動式カウンタユニット６０を表している。
【００２３】
商用車１０の開口部１７の前側には、前半部の移動式カウンタユニット６０を支持する支持部材７０が回転中心縦軸７８の回りを水平回転可能な状態で立設されている。また、開口部１７の後側には、後半部の移動式カウンタユニット６０を支持する支持部材７０が同じく回転中心縦軸７８の回りを水平回転可能な状態で立設されている。
支持部材７０には、上部と下部とに突起部７２を備えており、それらの突起部７２の先端に移動式カウンタユニット６０のガイドレール６４と係合する係合部材７５が固定されている（図５（Ｄ）参照）。なお、図５（Ｄ）は、図５（Ｂ）のD-D矢視断面図である。
ここで、係合部材７５及びガイドレール６４の構造は、実施形態１で説明した係合部材３２及びガイドレール３０の構造と同様である。このため、移動式カウンタユニット６０は、係合部材７５を介して支持部材７０によって支持されるとともに、移動式カウンタユニット６０は支持部材７０に対して商用車１０の幅方向（Ｘ方向）に移動可能になる。
【００２４】
さらに、支持部材７０は回転中心縦軸７８の回りを水平回転可能な構成のため、車外まで移動した移動式カウンタユニット６０は前方あるいは後方に水平回動可能になる。
支持部材７０には、図５（Ｃ）に示すように、回転中心縦軸７８の近傍に回転ロック機構８０が設けられている。回転ロック機構８０は、移動式カウンタユニット６０が車室内に収納されている状態と、その移動式カウンタユニット６０を車外に引き出した後、回転中心縦軸７８に対して約90°回転させた状態で回転をロックする機構である。回転ロック機構８０は、実施形態２で説明した回転ロック機構５０と等しい構造であり、ロック位置のみが異なっている。
【００２５】
商用車１０を軽食や飲み物の販売に使用するためには、前後スライドドアで開口部１７を開放した後、前後の移動式カウンタユニット６０を前進限位置まで前進させて、商用車１０の開口部１７から車外に出す。次に、回転ロック機構８０のロックを解除し、この位置から前半部の移動式カウンタユニット６０及び支持部材７０を前方に約90°水平回転させる。これによって、ロック機構８０がロック動作し、前半部の移動式カウンタユニット６０は車外で開口部１７の前側（向かって左側）に保持される。また、後半部の移動式カウンタユニット６０及び支持部材７０を後方に約90°水平回転させることによって、同じくロック機構８０がロック動作し、後半部の移動式カウンタユニット６０が開口部１７の後側（向かって右側）に保持される。この状態で、図６（Ａ）（Ｂ）に示すように、販売の準備が完了する。
【００２６】
このように、一対の移動式カウンタユニット６０を前進させて開口部１７から車外に移動させた後、各々の移動式カウンタユニット６０を前方あるいは後方に水平回転させる構成のため、移動式カウンタユニット６０の配置の自由度が高くなる。さらに、各々の移動式カウンタユニット６０が開口部１７を塞がないため、店員の乗降も容易になる。
なお、本実施形態では、移動式カウンタユニット２０，４０，６０を手動で移動させる例を示したが、モータ等のアクチュエータを利用して移動させることも可能である。
また、ガイドレール３０，６４及び係合部材３２，７５の構造は、移動式カウンタユニット２０，６０の重量等を考慮して適宜変更可能である。
また、ガイドレール３０，６４を直線状に形成する例を示したが、移動式カウンタユニット２０，６０の適正な移動軌跡に対応して前記ガイドレール３０，６４を湾曲させたり、傾斜させることも可能である。
【図面の簡単な説明】
【００２７】
【図１】本発明の実施形態１に係る商用車の平面図（Ａ図）、移動式カウンタユニットを表す斜視図（Ｂ図）及びガイド機構を表す模式図（Ｂ図のC-C矢視断面図）（Ｃ図）である。
【図２】商用車の使用状態を表す正面図（Ａ図）及び側面図（Ｂ図）である。
【図３】本発明の実施形態２に係る商用車の平面図（Ａ図）、移動式カウンタユニットを表す斜視図（Ｂ図）及び回転ロック機構を表す模式図（Ｂ図のC-C矢視断面図）（Ｃ図）である。
【図４】商用車の使用状態を表す正面図（Ａ図）及び側面図（Ｂ図）である。
【図５】本発明の実施形態３に係る商用車の平面図（Ａ図）、移動式カウンタユニットを表す斜視図（Ｂ図）、回転ロック機構を表す模式図（Ｂ図のC-C矢視断面図）（Ｃ図）及びガイド機構を表す模式図（Ｂ図のD-D矢視断面図）（Ｄ図）である。
【図６】商用車の使用状態を表す正面図（Ａ図）及び側面図（Ｂ図）である。
【図７】従来の商用車を表す斜視図（Ａ図、Ｂ図）である。
【符号の説明】
【００２８】
２０    移動式カウンタユニット（箱体）
２２    テーブル
２４    陳列棚
３０    ガイドレール（ガイド機構）
３２    係合部材（ガイド機構）
４０    移動式カウンタユニット
４６    支持部材（ガイド機構）
４９    回転中心縦軸（ガイド機構）
６０    移動式カウンタユニット
６４    ガイドレール（ガイド機構）
７５    係合部材（ガイド機構）
【図１】
2006151153.tif 000003
【図２】
2006151153.tif 000004
【図３】
2006151153.tif 000005
【図４】
2006151153.tif 000006
【図５】
2006151153.tif 000007
【図６】
2006151153.tif 000008
【図７】
2006151153.tif 000009